(57)【要約】【課題】黴びが付きにくいシャッター式浴槽蓋を提供すること。【解決手段】硬質合成樹脂製の、多数の細長状の中空パーツ１、前記中空パーツ１の両側開放部に嵌入される栓体２から構成されており、隣合う中空パーツ１，１が長手方向に対して相対移動可能に平行配置される態様で、隣合う中空パーツ１，１の長手側部相互を回動自在に接続してあり、栓体２を中空パーツ１に嵌入した状態では当該栓体２の一部により中空パーツ１，１相互の回動部が押さえられることにより隣合う中空パーツ１，１が長手方向に対して相対移動不能となる。【選択図】図２
0003126873.tif 000002
【実用新案登録請求の範囲】
【請求項１】
硬質合成樹脂製の、多数の細長状の中空パーツ、前記中空パーツの両側開放部に嵌入される栓体から構成されており、隣合う中空パーツが長手方向に対して相対移動可能に平行配置される態様で、隣合う中空パーツの長手側部相互を回動自在に接続してあり、栓体を中空パーツに嵌入した状態では当該栓体の一部により中空パーツ相互の回動部が押さえられることにより隣合う中空パーツが長手方向に対して相対移動不能となることを特徴とするシャッター式浴槽蓋。
【請求項２】
中空パーツの長手側部相互の回動構造は、一方側の中空パーツの円環状部を他方側の中空パーツの円弧状部内に、円筒対偶状態に収容させるようにして構成されていることを特徴とする請求項１記載のシャッター式浴槽蓋。
【請求項３】
多数の中空パーツの下面により、連続する平面が形成されることを特徴とする請求項１又は２記載のシャッター式浴槽蓋。
【請求項４】
隣り合う中空パーツ相互は、回動部を介して８０°＋（０°〜２０°）の角度で屈曲できることを特徴とする請求項１乃至３のいずれかに記載のシャッター式浴槽蓋。
【請求項５】
栓体は、中空パーツの両側解放部から離脱可能であることを特徴とする請求項１乃至４のいずれかに記載のシャッター式浴槽蓋。
【考案の詳細な説明】
【技術分野】
【０００１】
この考案は、巻き取り可能なシャッター式浴槽蓋に関するものである。
【背景技術】
【０００２】
シャッター式浴槽蓋としては、一般に、隣合う硬質合成樹脂製の中空部材相互を軟質合成樹脂製の連結部材で繋いで成るものがある（例えば、特許文献１。）。
【０００３】
上記シャッター式浴槽蓋は、不使用時には浴槽の立ち上がり部相互間に掛け渡す態様で閉蓋し、使用時においては巻き取った状態にして浴室内に立てるようにしておく。したがって、この種の浴槽蓋は使い勝手がよく、便利である。
【０００４】
しかしながら、このシャッター式風呂蓋は、軟質合成樹脂製の連結部材に黴がつきやすく、一旦黴びが付くと取れにくい。これは、軟質合成樹脂は微視的には比較的大きな孔が多数開口しているからであり、また孔内に黴びが侵入するからである。
【０００５】
したがって、上記浴槽蓋を取り扱う業者の間では、黴びが付きにくいシャッター式浴槽蓋が開発されることを待ち望んでいる。
【特許文献１】実開昭６２−１５５６８８
【考案の開示】
【考案が解決しようとする課題】
【０００６】
そこで、この考案では、黴びが付きにくいシャッター式浴槽蓋を提供することを課題とする。
【課題を解決するための手段】
【０００７】
（請求項１記載の考案）
この考案のシャッター式浴槽蓋は、硬質合成樹脂製の、多数の細長状の中空パーツ、前記中空パーツの両側開放部に嵌入される栓体から構成されており、隣合う中空パーツが長手方向に対して相対移動可能に平行配置される態様で、隣合う中空パーツの長手側部相互を回動自在に接続してあり、栓体を中空パーツに嵌入した状態では当該栓体の一部により中空パーツ相互の回動部が押さえられることにより隣合う中空パーツが長手方向に対して相対移動不能となるものとしている。
【０００８】
（請求項２記載の考案）
この考案のシャッター式浴槽蓋は、上記請求項１記載の考案に関し、中空パーツの長手側部相互の回動構造は、一方側の中空パーツの円環状部を他方側の中空パーツの円弧状部内に、円筒対偶状態に収容させるようにして構成されている。
【０００９】
（請求項３記載の考案）
この考案のシャッター式浴槽蓋は、上記請求項１又は２記載の考案に関し、多数の中空パーツの下面により、連続する平面が形成されている。
【００１０】
（請求項４記載の考案）
この考案のシャッター式浴槽蓋は、上記請求項１乃至３のいずれかに記載の考案に関し、多隣り合う中空パーツ相互は、回動部を介して８０°＋（０°〜２０°）の角度で屈曲できるようにしてある。
【００１１】
（請求項５記載の考案）
この考案のシャッター式浴槽蓋は、上記請求項１乃至４のいずれかに記載の考案に関し、栓体は、中空パーツの両側解放部から離脱可能である。
【考案の効果】
【００１２】
この考案のシャッター式浴槽蓋は、黴びが付きにくいことになる。
【考案を実施するための最良の形態】
【００１３】
以下にこの考案におけるシャッター式浴槽蓋を実施するための最良の形態として実施例について詳しく説明する。
【実施例１】
【００１４】
図１はこの考案の実施例のシャッター式浴槽蓋Ｆにより浴槽９を閉蓋した状態を示す斜視図、図２は前記シャッター式浴槽蓋Ｆを構成する細長状の中空パーツ１，１や栓体２の斜視図、図３は前記中空パーツ１，１相互を連結した状態を示す正面図、図４は連結された中空パーツ１を回動させた状態を示す正面図を示している。
【００１５】
（このシャッター式浴槽蓋Ｆの基本的構成について）
このシャッター式浴槽蓋Ｆは、図１〜図３に示すように、硬質合成樹脂製の、多数の細長状の中空パーツ１、前記中空パーツ１の両側開放部に嵌入される栓体２から構成され、従来の浴室蓋の如き軟質樹脂は一切使用されていないものである。
【００１６】
この浴槽蓋Ｆでは、図２や図３に示すように、隣合う中空パーツ１，１が長手方向に対して相対移動可能に平行配置される態様で、隣合う中空パーツ１，１の長手側部相互を回動自在に接続してあり、栓体２を中空パーツ１に嵌入した状態では当該栓体２の一部により中空パーツ１，１相互の回動部側面が押さえられ、隣合う中空パーツ１，１相互において長手方向に対して相対移動不能であるものとしてある。
【００１７】
また、隣り合う中空パーツ１，１相互は、回動部分を介して８０°＋（０°〜２０°）の角度で屈曲できるようになっている。
【００１８】
以下に、シャッター式浴槽蓋Ｆを構成する中空パーツ１、栓体２について詳述する。
【００１９】
（中空パーツについて）
中空パーツ１は、図１〜図３に示すように、浴槽９の外幅とほぼ同じ長さに設定してあり、全長にかけて延びる、二つの角状の孔１０ａ，１０ｂ（その端部が考案を解決するための「両側開放部」と対応する）を有した中空部本体１０と、孔１０ａを構成する上壁から徐々に下方に延びる円弧状部１１と、孔１０ｂを構成する下壁からＬ字状に立ち上がるＬ字部１２ａに設けられた円環状部１２を、それぞれ備えている。そして、前記円弧状部１１内に円環状部１２を挿入した状態では、図２や図３に示すように、隣合う中空パーツ１，１の下面が一直線上に配列されるようになるものとしてある。
【００２０】
ここで、上記円環状部１２を円弧状部１１に対して回動可能とするには、一方の中空パーツ１の円環状部１２の端部と他方の中空パーツ１の円弧状部１１の端部とを対向させ、円弧状部１１内に円環状部１２を挿入するしか組み付けができないようになっている。これは、円環状部１２が円弧状部１１から不用意に抜け出ないようにするためである。
【００２１】
また、この浴槽蓋Ｆでは、上述した如く隣合う中空パーツ１，１の下面が一直線上に配列されるようにしてあるが、隣合う中空パーツ相互において上下方向に位置ズレしにくくするため、上記Ｌ字部１２ａの角部をＲ状に形成すると共に前記Ｌ字部１２ａの角部を載せ置くためのＲ状の載置部１３を設けてある。
【００２２】
（栓体２について）
栓体２は、図２や図３に示すように、当て板２０と、前記当て板２０の一方面から少し突出し且つ上記孔１０ａ，１０ｂに嵌まり込む長方形状の突部２１ａ，２１ｂと、前記突部２１ａ，２１ｂと同芯で断面十字状に突出し且つ前記孔１０ａ，１０ｂに圧入される長軸突起２２ａ，２２ｂと、当て板２０の一方面から少し突出し且つ円環状部１２に遊挿される軸部２３とから構成されている。なお、長軸突起２２ａ，２２ｂの十字状を形成する４個の端部には、図２に示すように、テーパ部２４を形成してあり、前記テーパ部２４により長軸突起２２ａ，２２ｂの孔１０ａ，１０ｂへの圧入（嵌入後融着してもよい）を容易ならしめている。
【００２３】
（このシャッター式浴槽蓋Ｆの組立のまとめについて）
(1) 一方の中空パーツ１の円環状部１２の端部と他方の中空パーツ１の円弧状部１１の端部とを対向させ、円弧状部１１内に円環状部１２を挿入する作業を繰り返して行う。
【００２４】
(2) 栓体2の長軸突起２２ａ，２２ｂを中空パーツ１の孔１０ａ，１０ｂへ圧入していき、突部２１ａ，２１ｂを孔１０ａ，１０ｂに挿入すると同時に、軸部２３を円環状部１２に挿入する。この作業は中空パーツ１の左右側面に対して同じ要領で行う。
【００２５】
(3) 上記した(1)(2)の手作業により組立作業は完了する。
【００２６】
（このシャッター式浴槽蓋Ｆの優れた点について）
このシャッター式風呂蓋Fによると以下に示すような様々な利点がある。
(1)「黴が付きにくい点について」
従来のシャッター式風呂蓋Fは、軟質合成樹脂製の連結部において黴がつきやすく、一旦黴びが付くと取れにくいという問題があった。
【００２７】
これに対して、この実施例のシャッター式風呂蓋Fは、全てが硬質合成樹脂により構成されているから、軟質合成樹脂の如き微視的に大きな孔が開いていないから黴びが侵入しにくく、また比較的簡単に洗い流しやすい。
【００２８】
(2)「その他」
硬質合成樹脂により構成された部品のみであるから、健康被害を抑制できることにもなる。
【００２９】
（その他の形態について）
上記実施例に変えて、栓体２は、中空パーツ１の両側解放部から離脱可能とすることができる。
【００３０】
この場合、上記（このシャッター式浴槽蓋Ｆの組立のまとめについて）の欄に記載したように、中空パーツ１の追加組み付け、及び中空パーツ１の取り外しを容易にし得ることが明らかであることから、中空パーツ１及び栓体２を付属させておけば作業に不慣れな者であっても浴槽の長さに応じて自由に長さ設定できる。  
【図面の簡単な説明】
【００３１】
【図１】この考案の実施例のシャッター式浴槽蓋により浴槽を閉蓋した状態を示す斜視図。
【図２】前記シャッター式浴槽蓋Ｆを構成する細長状の中空パーツや栓体の斜視図。
【図３】前記中空パーツ相互を連結した状態を示す正面図。
【図４】連結された中空パーツを回動させた状態を示す正面図。
【符号の説明】
【００３２】
Ｆ      シャッター式浴槽蓋
１      中空パーツ
２      栓体
１０    中空部本体
１０ａ  孔
１０ｂ  孔
１１    円弧状部
１２    円環状部
１３    載置部
２０    当て板
２１ａ  突部
２１ｂ  突部
２２ａ  長軸突部
２２ｂ  長軸突部
２３    軸部
２４    テーパ部
【図１】
0003126873.tif 000003
【図２】
0003126873.tif 000004
【図３】
0003126873.tif 000005
【図４】
0003126873.tif 000006